(57)【特許請求の範囲】
【請求項１】
シート状をなしたワックス吸収体（１）の表面側中央に、顔料が分散され、あらかじめ設定された温度で融解を開始する、前記ワックス吸収体（１）に比べ、面積が１／１０以下のシート状をなした円板状のワックス（２）を、周囲に十分な余白部（３）が残る様に重畳し、その上方に、片面が彩色面（４）となっており、ワックス（２）が融解して浸透すると、不透明から透明に変化し、前記彩色面（４）が透けて見えるシート状の発色材（５）を、その彩色面（４）をワックス（２）側にして重畳し、ワックス吸収体１の裏面側に両面接着テープ（６）を貼付すると共に、表面側全体を透明フィルム（７）で被覆したことを特徴とする感温ラベル。
【請求項２】
ワックス（２）が直鎖状炭化水素を主体とすることを特徴とする請求項１記載の感温ラベル。
【請求項３】
ワックス吸収体（１）が吸い取り紙であることを特徴とする請求項１記載の感温ラベル。
【請求項４】
発色材（５）が色紙（いろがみ）であることを特徴とする請求項１記載の感温ラベル。
【発明の詳細な説明】
【０００１】
【産業上の利用分野】
この発明は感温ラベル、詳しくは対象物体が経時的に受ける熱の総量を積算して表示する機能を持つ感温ラベルに関するものである。
【０００２】
【従来の技術】
温度管理を必要とする物体の中には、単なる時間毎の温度変化やある瞬間における温度情報だけではなく、対象物体が経時的に受ける熱の総量を知る必要がある場合もある。たとえば、油入変圧器の場合、継続的な稼動により、変圧器内に発生した熱の総量（積算量）が一定値を超えた場合、絶縁が劣化したとしてこの絶縁油を交換することが行われている。
【０００３】
【発明が解決しようとする課題】
しかしながら、従来においては、油入変圧器が経時的に受けた熱の総量を簡単に知ることはできず、稼動時間、発熱値の変化状況などから計算によって推定することが行われていた。対象物体の温度変化を逐次記録できる記録機能を持った温度測定装置を、油入変圧器などの対象物体に付設すれば、経時的な熱の総量を知ることは可能であるが、装置単価が高く、設備費が高額となり、コスト的には到底採用することは出来なかった。
【０００４】
本発明者は、機械装置や電気機器等各種対象物体の所望箇所の温度を可逆的あるいは不可逆的に感知表示する為に広く用いられている感温ラベルを改良することによって、対象物体の受ける経時的な熱の総量を低コストで記録できる様にすべく鋭意研究を行った結果、今回全く新しい感温ラベルを開発することに成功し、本発明としてここに提案するものである。
【０００５】
【課題を解決するための手段】
シート状をなしたワックス吸収体１の表面側中央に、顔料が分散され、あらかじめ設定された温度で融解を開始する、前記ワックス吸収体１に比べ、面積が１／１０以下のシート状をなした円板状のワックス２を、周囲に余白部３が残る様に重畳し、その上方に、片面が彩色面４となっており、ワックス２が融解して浸透すると、不透明から透明に変化し、前記彩色面４が透けて見えるシート状の発色材５を、その彩色面４をワックス２側にして重畳し、ワックス吸収体１の裏面側に両面接着テープ６を貼付すると共に、表面側全体を透明フィルム７で被覆することにより、上記課題を解決せんとするものである、
【０００６】
【実施の形態】
図１はこの発明に係る感温ラベルの一実施形態を模式的に描いた拡大断面図、図２はその一部を切欠いて描いた拡大斜視図、図３は上方から見たその平面図である。
【０００７】
図中１は融解したワックス２が染み込みやすい性質を有するシート状をなしたワックス吸収体１であり、吸い取り紙や和紙などが好適に使用される。又、この実施の形態においては、ワックス吸収体１は方形状をなしているが、円型や楕円形などでも良く、その平面形状は問わない。
【０００８】
そして、このワックス吸収体１の上には、シート状をなし前記ワックス吸収体に比べ、面積が１／１０以下であり、顔料が分散されており、あらかじめ設定されて温度で融解を開始する円板状のワックス２が、前記ワックス吸収体１の上の周囲に十分な余白部３が残る様に重畳されている。ワックス２としては、直鎖状炭化水素を主体とするものが好ましい。
【０００９】
更に、このワックス２の上には、これと同一平面形をなし、片面が彩色面４となっており、前記ワックス２が融解浸透すると不透明から透明に変化し、反対側から彩色面４が透けて見える性質を有するシート状の発色材５が重畳されている。なお、この発色材５としては市販の色紙（いろがみ）をそのまま使用することが可能である。
【００１０】
更に、前記ワックス吸収体１の裏面には両面粘着テープ６が貼付されており、表面側全体は透明フィルム７で被覆されている。
【００１１】
この実施の形態は上記の通りの構成を有するものであり、油入変圧器など温度検知すべき対象物体の表面に両面粘着テープ６を利用して貼付して使用するものである。そして、対象物体があらかじめ設定された温度に達すると、ワックス２は融解し、発色材５に染み込み、これを透明に変え、発色材５の彩色面４を上方から透視可能状態にする。従って、図４に示す様に、この感温ラベルが発色した様に見え、この発色によって対象物体が設定温度を超えたことを不可逆的に知らせる。
【００１２】
一方、融解したワックス２は発色材５に染み込むだけでなく、その一部はワックス吸収体１に染み込みながら、同心円状に余白部３を外側に向って広がる。このとき、ワックス２には顔料が分散せしめられているので、図５に示す様に、ワックス吸収体１の余白部３には顔料により輪染み状の図形８が形成される。
【００１３】
対象物体の温度が設定温度以下に低下すると、ワックス２は固体に戻り、輪染み状の図形８の拡大は一時ストップするが、対象物体の温度が再度設定温度を超えると、ワックス２は再び融解し、ワックス吸収体１に形成された輪染み状の図形８は外側へと再び拡大（成長）することになる。
【００１４】
この様にして、対象物体の温度が設定温度を超すたび毎に、ワックス吸収体１に形成された輪染み状の図形８は外側へと拡大し続ける。なお、ワックス２は単に融解するだけではなく、温度が高くなるに従って、その粘度は低下するので、対象物体の温度が高い程、輪染み状の図形８の拡大のスピードは早くなる。従って、この輪染み状の図形８の大きさと対象物体の経時的な温度とは、相関関係を持ち、この輪染み状の図形８の大きさから対象物体に経時的に加えられた、あるいは発生した熱の総量を知ることが出来るのである。
【００１５】
【発明の効果】
従って、この感温ラベルを油入変圧器などに取付けた場合、単なる設定温度超えの事実だけではなく、経時的な熱の総量を簡単に知ることが出来る。又、構造も極めて簡単であり、耐候性にも富み、低コストで生産することが出来、各種機器類の温度管理用として、極めて実用的なものである。
【図面の簡単な説明】
【図１】  この発明に係る感温ラベルの一実施形態を模式的に描いたその拡大断面図。
【図２】  その一部を切欠いて描いた拡大斜視図。
【図３】  上方から見たその平面図。
【図４】  発色材５が発色した状態の平面図。
【図５】  ワックス２がワックス吸収体１に吸収され、輪染み状の図形８が形成された状態の平面図。
【符号の説明】
１    ワックス吸収体
２    ワックス
３    余白部
４    彩色面
５    発色材
６    両面粘着テープ
７    透明フィルム
８    輪染み状の図形
【図１】
0004833458.tif 000002
【図２】
0004833458.tif 000003
【図３】
0004833458.tif 000004
【図４】
0004833458.tif 000005
【図５】
0004833458.tif 000006